(57)【要約】【課題】破断容易部を介して互いに連結される複数枚のシートをシート収納容器から１枚ずつ確実に取出すことができるとともに、製造に使用される金型の耐久性を向上させることができるシート収納容器用蓋体を提供する。【解決手段】  シート収納容器用蓋体は、蓋板１０と、取出口２０と、閉塞片３０と、固定部４０と、覆部５０とを具備する。蓋板１０は、シート収納容器１の開口部２を閉塞する。シート収納容器１は、破断容易部３を介して互いに連結される複数枚のシート４を収納する。取出口２０は、蓋板１０に形成されており、複数枚のシート４が順次通過可能である。閉塞片３０は、シート収納容器１における内部方向Ｘ１への段差部３１を介して蓋板１０に支持されており、取出口２０を閉塞する閉塞状態と複数枚のシート４を順次通過させる非閉塞状態との間で弾性変形可能である。固定部４０は、蓋板を開口部２に着脱可能に固定する。覆部５０は、蓋板を覆う。【選択図】図１
2020179884.tif 000002
【特許請求の範囲】
【請求項１】
破断容易部（３）を介して互いに連結される複数枚のシート（４）を収納するシート収納容器（１）の開口部（２）を閉塞する蓋板（１０）と、
前記蓋板（１０）に形成されており、前記複数枚のシート（４）が順次通過可能である取出口（２０）と、
前記シート収納容器（１）における内部方向（Ｘ１）への段差部（３１）を介して前記蓋板（１０）に支持されており、前記取出口（２０）を閉塞する閉塞状態と隙間（３２）を介して前記複数枚のシート（４）を順次通過させる非閉塞状態との間で弾性変形可能である閉塞片（３０）と、
前記蓋板（１０）を前記開口部（２）に着脱可能に固定する固定部（４０）と、
前記蓋板（１０）を覆う覆部（５０）
とを具備する、シート収納容器用蓋体。
【請求項２】
前記閉塞片（３０）は、前記段差部（３１）に結合される基端部（３１ａ）と、前記基端部（３１ａ）の反対側の先端部（３３）とを有し、前記先端部（３３）に、前記破断容易部（３）に係合し、前記破断容易部（３）を破断する係合部（３４）を有する、請求項１に記載のシート収納容器用蓋体。
【請求項３】
前記係合部（３４）が、前記先端部（３３）の全長に亘って形成されている、請求項２に記載のシート収納容器用蓋体。
【請求項４】
前記先端部（３３）の長さ（Ｌ１）が、前記基端部（３１ａ）の長さ（Ｌ２）より長い、請求項２又は請求項３に記載のシート収納容器用蓋体。
【請求項５】
前記蓋板（１０）、前記閉塞片（３０）、前記固定部（４０）、及び前記覆部（５０）が、一体成形されている、請求項１から請求項４のいずれか１項に記載のシート収納容器用蓋体。
【発明の詳細な説明】
【技術分野】
【０００１】
本発明は、シート収納容器用蓋体に関し、特に、破断容易部を介して互いに連結されている複数枚のシートを収納するシート収納容器に好適なシート収納容器用蓋体に関するものである。
【背景技術】
【０００２】
ウェットシート等のシートを収納するシート収納容器として、特許文献１には、ロール状に巻回されているウェットシートを収納するシート収納容器が記載されている。特許文献１に記載のシート収納容器においては、シート収納容器の開口部に蓋体が装着されており、当該蓋体に、十字状の切れ込みから成る取出部が形成されている。ウェットシートは、長さ方向に一定の間隔をおいてミシン目が形成されており、取出部を通過する際に、ミシン目において所定サイズに切断され、シート収納容器から取出される。
【先行技術文献】
【特許文献】
【０００３】
【特許文献１】特許第６１８８２６２号公報
【発明の概要】
【発明が解決しようとする課題】
【０００４】
しかしながら、特許文献１に記載のシート収納容器においては、ウェットシートが切れ込みを通過するときに切断されることによって、切れ込みの隙間をある程度細くしないと、ウェットシートをミシン目において確実に切離すことができない等の不具合が生じる。従って、当該隙間は、切れ込みの形状、蓋体の材質にもよるが、可能な限り細く形成されることが望ましい。しかしながら、当該隙間を細く形成するためには、蓋体を製造するための金型に、薄片から成る突部を形成する必要があり、金型の耐久性が低下する。
【０００５】
本発明は上記課題に鑑みてなされたものであり、その目的は、破断容易部を介して互いに連結される複数枚のシートをシート収納容器から１枚ずつ確実に取出すことができるとともに、製造に使用される金型の耐久性を向上させることができるシート収納容器用蓋体を提供することにある。
【課題を解決するための手段】
【０００６】
本願に開示するシート収納容器用蓋体は、蓋板（１０）と、取出口（２０）と、閉塞片（３０）と、固定部（４０）と、覆部（５０）とを具備する。前記蓋板（１０）は、シート収納容器（１）の開口部（２）を閉塞する。前記シート収納容器（１）は、破断容易部（３）を介して互いに連結される複数枚のシート（４）を収納する。前記取出口（２０）は、前記蓋板（１０）に形成されており、前記複数枚のシート（４）が順次通過可能である。前記閉塞片（３０）は、前記シート収納容器（１）における内部方向（Ｘ１）への段差部（３１）を介して前記蓋板（１０）に支持されており、前記取出口（２０）を閉塞する閉塞状態と非閉塞状態との間で弾性変形可能である。前記非閉塞状態においては、前記閉塞片（３０）は、隙間（３２）を介して前記複数枚のシート（４）を順次通過させる。前記固定部（４０）は、前記蓋板（１０）を前記開口部（２）に着脱可能に固定する。前記覆部（５０）は、前記蓋板（１０）を覆う。
【０００７】
本願に開示するシート収納容器用蓋体において、前記閉塞片（３０）は、前記段差部（３１）に結合される基端部（３１ａ）と、前記基端部（３１ａ）の反対側の先端部（３３）とを有し、前記先端部（３３）に、係合部（３４）を有する。前記係合部（３４）は、前記破断容易部（３）に係合し、前記破断容易部（３）を破断する。
【０００８】
本願に開示するシート収納容器用蓋体において、前記係合部（３４）は、前記先端部（３３）の全長に亘って形成される。
【０００９】
本願に開示するシート収納容器用蓋体において、前記先端部（３３）の長さ（Ｌ１）は、前記基端部（３１ａ）の長さ（Ｌ２）より長い。
【００１０】
本願に開示するシート収納容器用蓋体において、前記蓋板（１０）、前記閉塞片（３０）、前記固定部（４０）、及び前記覆部（５０）は、一体成形されている。
【発明の効果】
【００１１】
本発明のシート収納容器用蓋体によれば、破断容易部を介して互いに連結される複数枚のシートをシート収納容器から１枚ずつ確実に取出すことができるとともに、製造に使用される金型の耐久性を向上させることができる。
【図面の簡単な説明】
【００１２】
【図１】本発明の実施形態に係るシート収納容器用蓋体を示す斜視図である。
【図２】本発明の実施形態に係るシート収納容器用蓋体を示す平面図である。
【図３】本発明の実施形態に係るシート収納容器用蓋体を示す、図２のＡ−Ａ線断面図である。
【図４】本発明の実施形態に係るシート収納容器を示す断面図である。
【図５】使用状態におけるシート収納容器用蓋体を示す斜視図である。
【図６】使用状態におけるシート収納容器用蓋体を示す断面図である。
【図７】（ａ）シート収納容器用蓋体の要部を示す平面図である。（ｂ）シート収納容器用蓋体の製造に使用される金型の一部分であって、図７（ａ）のＢ−Ｂ線に対応する部分を示す断面図である。
【発明を実施するための形態】
【００１３】
以下、本発明の実施形態に係るシート収納容器用蓋体を図面に基づいて詳しく説明する。なお、以下に説明する実施形態は、本発明を実施するのに好ましい具体例であるから、技術的に種々の限定がなされているが、本発明は、以下の説明において特に発明を限定する旨が明記されていない限り、この実施形態に限定されるものではない。
【００１４】
〈実施形態〉
図１〜図６を参照して、本発明の実施形態に係るシート収納容器用蓋体を説明する。図１は、本発明の実施形態に係るシート収納容器用蓋体を示す斜視図である。図２は、本発明の実施形態に係るシート収納容器用蓋体を示す平面図である。図３は、本発明の実施形態に係るシート収納容器用蓋体を示す、図２のＡ−Ａ線断面図である。図４は、本発明の実施形態に係るシート収納容器を示す断面図である。図５は、使用状態におけるシート収納容器用蓋体を示す斜視図である。図６は、使用状態におけるシート収納容器用蓋体を示す断面図である。
【００１５】
図１〜図３に示すように、シート収納容器用蓋体は、蓋板１０と、取出口２０と、閉塞片３０と、固定部４０と、覆部５０とを具備する。図４に示すように、蓋板１０は、シート収納容器１の開口部２を閉塞する。実施形態においては、開口部２は円筒状であり、外周面に雄螺子部２ａが形成されている。蓋板１０は円形である。シート収納容器１は、図４、図５に示すように、破断容易部３を介して互いに連結される複数枚のシート４を収納する。
【００１６】
また、実施形態においては、シート４は、ウェットティッシュ等のウェットシートであり、破断容易部３は、ミシン目であり、複数枚のシート４は、図４に示すように、ロール状に巻回され、シート収納容器１に収納される。なお、破断容易部３は、ミシン目に限られず、シート４における破断容易部３以外の部分よりも容易く破断されるものであればよく、例えば薄肉部であってもよい。
【００１７】
取出口２０は、蓋板１０に形成されており、複数枚のシート４が順次通過可能である。図１、図２に示すように、実施形態においては、取出口２０は、概略半円形状の貫通孔として蓋板１０に形成される。
【００１８】
閉塞片３０は、図１、図３に示すように、シート収納容器１における内部方向Ｘ１への段差部３１を介して蓋板１０に支持されている。また、閉塞片３０は、樹脂等の弾性変形可能な素材から形成され、段差部３１に結合される基端部３１ａと、基端部３１ａの反対側の先端部３３とを有し、図１に示す閉塞状態と、図５に示す非閉塞状態との間で弾性変形可能である。閉塞状態とは、閉塞片３０が、取出口２０を閉塞する状態である。非閉塞状態とは、図４、図５に示すように、先端部３３が、シート収納容器１における外部方向へ移動し、閉塞片３０が、隙間３２を介して複数枚のシート４を順次通過させる状態である。
【００１９】
なお、図３に示すように、閉塞片３０は、閉塞状態においても、所定の隙間３２を空けて取出口２０を閉塞することが好ましい。閉塞状態における隙間３２の大きさは、例えば、０．０８〜０．１２ミリメートルであることが好ましい。閉塞状態において、閉塞片３０が、所定の隙間３２を空けて取出口２０を閉塞することによって、閉塞片３０が、閉塞状態から非閉塞状態に移行するときに、先端部３３をシート収納容器１における外部方向へ円滑に移動させることができる。なお、本実施形態において、隙間３２は、内部方向Ｘ１とは垂直な方向である横幅方向において取出口２０の縁である蓋板１０の端部との間で所定の間隔にて設けられているが、他の実施形態において、隙間３２は、横幅方向において設けずに蓋板１０の端部から内部方向Ｘ１へ上述したような０．０８〜０．１２ミリメートルの間隔で設けることもできる。
【００２０】
実施形態においては、閉塞片３０は、取出口２０の形状と略同一の形状である半円形状を有する舌片であり、半円における弧の中央部が、段差部３１に沿って直線状に延びる基端部３１ａを形成し、半円における弦側の端部が先端部３３を形成している。隙間３２は、先端部３３と、蓋板１０との間の隙間である。また、閉塞片３０は、外力が加わらない自然状態において閉塞状態になり、閉塞状態においては、図３に示すように、蓋板１０と略平行になる。また、閉塞片３０の厚みは、蓋板１０の厚みと略等しく、閉塞状態において、閉塞片３０の外側面３０ａは、蓋板１０の内側面１０ａと略面一になっている。
【００２１】
固定部４０は、蓋板１０を開口部２に着脱可能に固定する。実施形態においては、図３、図４に示すように、固定部４０は、円筒状であり、内周面に雌螺子部４１を有し、上部に小径部４２を有し、小径部４２の下端部から下方に延設される円筒状の支持部４０ａを有する。雌螺子部４１は、シート収納容器１の開口部２に形成されている雄螺子部２ａに螺合する。小径部４２は、覆部５０に嵌合し、覆部５０を固定部４０に係止する。支持部４０ａは、下端部が蓋板１０の周縁部と結合され、蓋板１０を固定部４０に支持する。また、図１に示すように、固定部４０は、外周面に、滑り止めのための突部４３を有する。
【００２２】
覆部５０は、蓋板１０を覆う。実施形態においては、覆部５０は、円形板状であり、可撓性を有する連結帯５１によって、固定部４０に連結されている。また、覆部５０は、円筒状の嵌合部５２を有しており、嵌合部５２が固定部４０の小径部４２に嵌合することによって、固定部４０に係止される。また、覆部５０は、連結帯５１との結合部分の反対側に突出部５３を有している。使用者は、突出部５３を手掛かりに、嵌合部５２と小径部４２との嵌合を容易に解除できる。
【００２３】
次に、図７を参照して、本実施形態のシート収納容器用蓋体の製造に使用される金型について説明する。図７（ａ）は、シート収納容器用蓋体の要部を示す平面図である。図７（ｂ）は、シート収納容器用蓋体の製造に使用される金型の一部分であって、図７（ａ）のＢ−Ｂ線に対応する部分を示す断面図である。
【００２４】
図７（ｂ）に示す金型６０は、上型６１と下型６２とを有し、上型６１と下型６２との間に、蓋板１０、取出口２０、閉塞片３０、段差部３１に対応する形状の空洞６３を形成する。空洞６３には、スプール６４等の原料導入路を介して溶融樹脂等の原料が導入される。金型６０は、上型６１にも下型６２にも、閉塞片３０の先端部３３と蓋板１０との間の隙間３２に対応する、薄片から成る突部は有していない。なお、空洞６３は、蓋板１０、閉塞片３０、固定部４０、覆部５０、連結帯５１を一体成形できる形状に形成することができる。蓋板１０、閉塞片３０、固定部４０、及び覆部５０を一体成形することによって、より少ない工程でシート収納容器用蓋体を製造できる。
【００２５】
以上、図１〜図７を参照して説明したように、本実施形態のシート収納容器用蓋体によれば、閉塞片３０が段差部３１を介して蓋板１０に支持されている。従って、隙間３２を細くするために、金型６０に、薄片から成る突部を設ける必要がなく、金型６０の耐久性を向上させることができる。金型６０における耐久性の観点による制約がないことによって、複数枚のシート４を破断容易部３において確実に切断するのに最適なサイズに隙間３２を設定することができ、破断容易部３を介して互いに連結される複数枚のシート４をシート収納容器１から１枚ずつ確実に取出すことができる。
【００２６】
また、段差部３１が、内部方向Ｘ１への段差部であることによって、閉塞片３０が閉塞状態から非閉塞状態に弾性変形し、複数枚のシート４が隙間３２を順次通過するときに、閉塞片３０からシート４に対し、より大きな弾性力を作用させることができ、より確実に破断容易部３を破断することができる。また、上述したとおり、閉塞状態における隙間３２の大きさを０．０８〜０．１２ミリメートル等の適宜のサイズに設定することによって、先端部３３をシート収納容器１の外部方向へ円滑に移動できるとともに、次に取出すべきシート４の先端部をシート収納容器１の外部側において、閉塞片３０によってより確実に保持できる。
【００２７】
更に、特許文献１のような従来のシート収納容器用蓋体は、取出部に形成される小さな丸孔等のシート挿通孔を介してウェットティッシュのような表面摩擦の大きいシートが引出されるため丸孔等が拡がってミシン目で切断されずに連続して引き出され、また、こよりのように細くまとまって引き出されるものであったのに対し、実施形態のシート収納容器用蓋体においては、舌片である閉塞片３０がシート収納容器１の外側に押し開かれることによって、シート４が取出される。従って、小さくまとめられたシートをいわば無理やりに引出すのではなく、比較的に広いシート取出経路を介してシート４を取出すことができ、シート４の取出しを極めて容易にすることができる。また、閉塞片３０の弾性力によって、次に取出すべきシート４の先端部も確実に保持できる。更に、最初に取出すべきシート４の先端部を取出口２０の外側にセットする際に、小さなシート挿通孔に先端部を通す必要がなく、閉塞片３０を押し開けて、シート４の先端部を通すことができ、最初のセットが容易である。
【００２８】
次に、図１、図２を参照して、本発明の他の実施形態を説明する。本実施形態のシート収納容器用蓋体においては、閉塞片３０は、先端部３３に係合部３４を有する。係合部３４は、破断容易部３に係合し、破断容易部３を破断する。本実施形態においては、係合部３４は、突部と凹部とが交互に連続する波形形状を有している。また、係合部３４の波形形状に対応し、取出口２０における先端部３３の対向部分は逆位相の波形に形成されている。また、図１、図２に示すように、係合部３４は、先端部３３の全長に亘って形成されている。
【００２９】
以上、図１、図２を参照して説明したように、本実施形態のシート収納容器用蓋体によれば、閉塞片３０の先端部３３に係合部３４が形成されることによって、複数枚のシート４が隙間３２を順次通過するときに、より確実にミシン目等の破断容易部３を破断することができ、複数枚のシート４をシート収納容器１から１枚ずつより確実に取出すことができる。
【００３０】
また、係合部３４が、先端部３３の全長に亘って形成されることによって、複数枚のシート４が隙間３２を順次通過するときの先端部３３における通過位置に関わらず、係合部３４を破断容易部３に係合させることができ、より確実にミシン目等の破断容易部３を破断することができる。
【００３１】
次に、図１、図２を参照して、本発明の更に他の実施形態を説明する。本実施形態のシート収納容器用蓋体においては、閉塞片３０における先端部３３の長さＬ１は、基端部３１ａの長さＬ２より長い。すなわち、閉塞片３０における基端部３１ａは、段差部３１に沿って直線状に延びており、基端部３１ａの長さＬ２は、段差部３１の長さと等しくなっている。また、閉塞片３０の先端部３３は、基端部３１ａと略平行に延びており、先端部３３の長さＬ１が、基端部３１ａの長さＬ２より長くなっている。
【００３２】
長さＬ１が長さＬ２より長いことによって、閉塞片３０における先端部３３を幅広に形成することができ、シート４の取出部として例えば十字状の切れ込みを蓋板１０に形成した場合と比較すると、取出部の中心にシート４を集中させずにシート４を取出すことができる。従って、例えば２〜３センチメートルの幅にシート４が広がった状態でシート４を取出すことができ、より小さな力でシート４を引出すことができるとともに、より小さな力で破断容易部３を破断することができ、シート４の取出しが容易になる。
【００３３】
以上、図面（図１〜図７）を参照しながら本発明の実施形態を説明した。但し、本発明は、上記の実施形態に限られるものではなく、その要旨を逸脱しない範囲で種々の態様において実施することが可能である（例えば、下記（１））。
【００３４】
（１）図１〜図７を参照して説明したように、実施形態においては、蓋板１０、閉塞片３０、固定部４０、及び覆部５０が一体成形されたが、これに限られず、例えば、蓋板１０、及び閉塞片３０を成形する工程と、固定部４０、及び覆部５０を成型する工程とを別工程とすることもできる。蓋板１０、及び閉塞片３０を成形する工程と、固定部４０、及び覆部５０を成型する工程とを別工程とすることによって、蓋板１０、及び閉塞片３０に最も相応しい素材と、固定部４０、及び覆部５０に最も相応しい素材とを独立に選定することができ、素材の最適化を図ることができる。
【符号の説明】
【００３５】
１…シート収納容器
Ｘ１…内部方向
２…開口部
３…破断容易部
４…シート
１０…蓋板
２０…取出口
３０…閉塞片
３１ａ…基端部
３１…段差部
３２…隙間
３３…先端部
３４…係合部
４０…固定部
５０…覆部
【図１】
2020179884.tif 000003
【図２】
2020179884.tif 000004
【図３】
2020179884.tif 000005
【図４】
2020179884.tif 000006
【図５】
2020179884.tif 000007
【図６】
2020179884.tif 000008
【図７】
2020179884.tif 000009